(57)【要約】【課題】膨大なコンテンツの中から、できる限り少ない操作回数であって、且つ、同じ操作では同じコンテンツリストを表示することができる方法等を提供する。【解決手段】コンテンツを検索するためのコンテンツリストを表示するユーザインタフェース部を有する情報表示装置に関する。情報表示装置は、日付情報に対応する曜日情報を関連付けて蓄積しているカレンダ情報蓄積手段と、ユーザインタフェース手段を用いて、利用者に対して曜日情報を入力させる表示制御手段と、カレンダ情報蓄積手段を用いて、複数のコンテンツの中で、入力された当該曜日情報に一致する複数のコンテンツを検索するコンテンツ検索手段と、当該曜日情報について検索された複数のコンテンツに基づくコンテンツリストを生成するコンテンツリスト生成手段とを有し、ユーザインタフェース手段は、生成されたコンテンツリストを表示する。【選択図】図２
2010193022.tif 000002
【特許請求の範囲】
【請求項１】
日付情報が関連付けられた複数のコンテンツについて、該コンテンツを検索するためのコンテンツリストを表示するユーザインタフェース部を有する情報表示装置におけるコンテンツリストの表示方法において、
前記情報表示装置は、日付情報に対応する曜日情報を関連付けて蓄積しているカレンダ情報蓄積部を有しており、
前記ユーザインタフェース部を用いて、利用者に対して曜日情報を入力させる第１のステップと、
前記カレンダ情報蓄積部を用いて、複数のコンテンツの中で、入力された当該曜日情報に一致する複数のコンテンツを検索する第２のステップと、
当該曜日情報について検索された複数のコンテンツに基づくコンテンツリストを生成する第３のステップと、
前記コンテンツリストを、前記ユーザインタフェース部に表示する第４のステップと
を有することを特徴とするコンテンツリストの表示方法。
【請求項２】
前記コンテンツには、更に、時刻情報が関連付けられており、
前記ユーザインタフェース部を用いて、利用者に対して時間範囲情報を入力させる第５のステップと、
当該曜日情報について検索された複数のコンテンツの中で、入力された当該時間範囲情報に一致する複数のコンテンツを検索する第６のステップと、
当該時間範囲情報について検索された複数のコンテンツに基づくコンテンツリストを生成する第７のステップと、
前記コンテンツリストを、前記ユーザインタフェース部に表示する第８のステップと
を有することを特徴とする請求項１に記載のコンテンツリストの表示方法。
【請求項３】
前記情報表示装置は、キャッシュメモリ部を更に有し、
前記ユーザインタフェース部に表示された前記コンテンツリストに対して、ユーザがシフト操作を実行したとしたならば表示されるであろうコンテンツリストを、前記キャッシュメモリに予め保持する第９のステップと、
前記ユーザがシフト操作を実行した際に、前記キャッシュメモリ部から取得された前記コンテンツリストを、前記ユーザインタフェース部に表示する第１０のステップと
を更に有することを特徴とする請求項２に記載のコンテンツリストの表示方法。
【請求項４】
前記情報表示装置は、携帯電話機であり、
前記ユーザインタフェース部は、ディスプレイ及びテンキーからなり、各曜日が、前記テンキーの各キーに割り当てられていることを特徴とする請求項１から３のいずれか１項に記載のコンテンツリストの表示方法。
【請求項５】
日付情報が関連付けられた複数のコンテンツについて、該コンテンツを検索するためのコンテンツリストを表示するユーザインタフェース手段を有する情報表示装置において、
日付情報に対応する曜日情報を関連付けて蓄積しているカレンダ情報蓄積手段と、
前記ユーザインタフェース手段を用いて、利用者に対して曜日情報を入力させる入力制御手段と、
前記カレンダ情報蓄積手段を用いて、複数のコンテンツの中で、入力された当該曜日情報に一致する複数のコンテンツを検索するコンテンツ検索手段と、
当該曜日情報について検索された複数のコンテンツに基づくコンテンツリストを生成するコンテンツリスト生成手段と、
前記ユーザインタフェース手段を用いて、前記コンテンツリストを表示させる表示制御手段と
を有することを特徴とする情報表示装置。
【請求項６】
前記コンテンツには、更に、時刻情報が関連付けられており、
前記入力制御手段は、前記ユーザインタフェース手段を用いて、利用者に対して時間範囲情報を入力させ、
前記コンテンツ検索手段は、当該曜日情報について検索された複数のコンテンツの中で、入力された当該時間範囲情報に一致する複数のコンテンツを検索し、
前記コンテンツリスト生成手段は、当該時間範囲情報について検索された複数のコンテンツに基づくコンテンツリストを生成する
ことを特徴とする請求項５に記載の情報表示装置。
【請求項７】
キャッシュメモリ手段と、
前記ユーザインタフェース手段に表示された前記コンテンツリストに対して、ユーザがシフト操作を実行したとしたならば表示されるであろうコンテンツリストを、前記キャッシュメモリ手段に予め保持するメモリ制御手段と
を更に有し、
前記ユーザインタフェース手段は、前記ユーザがシフト操作を実行した際に、前記キャッシュメモリ部から取得された前記コンテンツリストを表示する
ことを特徴とする請求項６に記載の情報表示装置。
【請求項８】
前記情報表示装置は、携帯電話機であり、
前記ユーザインタフェース手段は、ディスプレイ及びテンキーからなり、各曜日が、前記テンキーの各キーに割り当てられている
ことを特徴とする請求項５から７のいずれか１項に記載の情報表示装置。
【請求項９】
日付情報が関連付けられた複数のコンテンツについて、該コンテンツを検索するためのコンテンツリストを表示するユーザインタフェース手段を有する情報表示装置に搭載されたコンピュータを機能させるプログラムにおいて、
日付情報に対応する曜日情報を関連付けて蓄積しているカレンダ情報蓄積手段と、
前記ユーザインタフェース手段を用いて、利用者に対して曜日情報を入力させる入力制御手段と、
前記カレンダ情報蓄積手段を用いて、複数のコンテンツの中で、入力された当該曜日情報に一致する複数のコンテンツを検索するコンテンツ検索手段と、
当該曜日情報について検索された複数のコンテンツに基づくコンテンツリストを生成するコンテンツリスト生成手段と、
前記ユーザインタフェース手段を用いて、前記コンテンツリストを表示させる表示制御手段と
してコンピュータを機能させることを特徴とする情報表示装置用のプログラム。
【発明の詳細な説明】
【技術分野】
【０００１】
本発明は、コンテンツリストを表示する方法、情報表示装置及びプログラムに関する。
【背景技術】
【０００２】
近年、情報機器の技術発展に伴って、携帯電話機のような小型端末であっても、膨大な量のコンテンツを蓄積することができる。コンテンツは、インターネットを介して受信されたものに限られない。例えば、放送局から受信された番組の動画像、カメラによって取得された静止画像及び動画像、スケジュール管理として記録されたテキスト、マイクによって取得された音声等、様々なメディアに基づく。
【０００３】
このような情報機器に蓄積された膨大な量のコンテンツの中から、利用者は、所望のコンテンツを検索しなければならない。利用者は、コンテンツに関連付けられた日付及び時刻や、キーワード、カテゴリ等によって、コンテンツの数を絞り込む必要がある。従って、利用者としては、できる限り少ない操作回数によって、所望のコンテンツに到達することを望む。
【０００４】
情報表示装置は、１つの画面の中に、複数のコンテンツのインデックスを並べることによって、利用者が所望のコンテンツを容易に発見できるようにする。情報表示装置のディスプレイに表示されるこのようなインデックスの列を、コンテンツリストという。しかしながら、携帯電話機のような小型端末は、ディスプレイサイズも小さい。そのため、利用者に対して、段階的にコンテンツリストを表示する必要がある。
【０００５】
図１は、従来技術におけるコンテンツリストが表示された情報表示装置である。
【０００６】
図１によれば、コンテンツに関連付けられた日付及び時刻に基づいて、複数のインデックスが古い順に並べられている。利用者は、携帯電話機の画面を上下にシフトすることによって、コンテンツのインデックスを視覚的に検索することができる。
【０００７】
このような、単に時刻順に並べたコンテンツリストではなく、ユーザの嗜好に応じたコンテンツリストを表示する装置がある（例えば特許文献１参照）。この技術によれば、ユーザにおける時間経過に伴って嗜好度が変化する場合であっても、その時刻に最適なコンテンツリストを表示することができる。
【先行技術文献】
【特許文献】
【０００８】
【特許文献１】特開２００６−００５５１４号公報
【発明の概要】
【発明が解決しようとする課題】
【０００９】
特許文献１の技術によれば、時刻に応じたユーザの嗜好に基づいて、情報表示装置が自動的にコンテンツリストを表示するために、その時刻に応じて、コンテンツリストの表示が変化する。そのために、利用者は、コンテンツリストの変化に不便さを感じることもある。
【００１０】
また、ユーザが、膨大なコンテンツの中から所望のコンテンツを検索するために、できる限り操作回数を減らすことが好ましい。また、常に、同じ操作では同じコンテンツリストが表示されるようにすることが、ユーザにとっては利便性が高いといえる。
【００１１】
そこで、本発明は、膨大なコンテンツの中から、できる限り少ない操作回数であって、且つ、同じ操作では同じコンテンツリストを表示することができる方法、情報表示装置及びプログラムを提供することを目的とする。
【課題を解決するための手段】
【００１２】
本発明によれば、日付情報が関連付けられた複数のコンテンツについて、該コンテンツを検索するためのコンテンツリストを表示するユーザインタフェース部を有する情報表示装置におけるコンテンツリストの表示方法において、
情報表示装置は、日付情報に対応する曜日情報を関連付けて蓄積しているカレンダ情報蓄積部を有しており、
ユーザインタフェース部を用いて、利用者に対して曜日情報を入力させる第１のステップと、
カレンダ情報蓄積部を用いて、複数のコンテンツの中で、入力された当該曜日情報に一致する複数のコンテンツを検索する第２のステップと、
当該曜日情報について検索された複数のコンテンツに基づくコンテンツリストを生成する第３のステップと、
コンテンツリストを、ユーザインタフェース部に表示する第４のステップと
を有することを特徴とする。
【００１３】
本発明のコンテンツリストの表示方法における他の実施形態によれば、
コンテンツには、更に、時刻情報が関連付けられており、
ユーザインタフェース部を用いて、利用者に対して時間範囲情報を入力させる第５のステップと、
当該曜日情報について検索された複数のコンテンツの中で、入力された当該時間範囲情報に一致する複数のコンテンツを検索する第６のステップと、
当該時間範囲情報について検索された複数のコンテンツに基づくコンテンツリストを生成する第７のステップと、
コンテンツリストを、ユーザインタフェース部に表示する第８のステップと
を有することも好ましい。
【００１４】
本発明のコンテンツリストの表示方法における他の実施形態によれば、
情報表示装置は、キャッシュメモリ部を更に有し、
ユーザインタフェース部に表示されたコンテンツリストに対して、ユーザがシフト操作を実行したとしたならば表示されるであろうコンテンツリストを、キャッシュメモリに予め保持する第９のステップと、
ユーザがシフト操作を実行した際に、キャッシュメモリ部から取得されたコンテンツリストを、ユーザインタフェース部に表示する第１０のステップと
を更に有することも好ましい。
【００１５】
本発明のコンテンツリストの表示方法における他の実施形態によれば、
情報表示装置は、携帯電話機であり、
ユーザインタフェース部は、ディスプレイ及びテンキーからなり、各曜日が、テンキーの各キーに割り当てられていることも好ましい。
【００１６】
本発明によれば、日付情報が関連付けられた複数のコンテンツについて、該コンテンツを検索するためのコンテンツリストを表示するユーザインタフェース手段を有する情報表示装置において、
日付情報に対応する曜日情報を関連付けて蓄積しているカレンダ情報蓄積手段と、
ユーザインタフェース手段を用いて、利用者に対して曜日情報を入力させる入力制御手段と、
カレンダ情報蓄積手段を用いて、複数のコンテンツの中で、入力された当該曜日情報に一致する複数のコンテンツを検索するコンテンツ検索手段と、
当該曜日情報について検索された複数のコンテンツに基づくコンテンツリストを生成するコンテンツリスト生成手段と、
ユーザインタフェース手段を用いて、コンテンツリストを表示させる表示制御手段と
を有することを特徴とする。
【００１７】
本発明の情報表示装置における他の実施形態によれば、
コンテンツには、更に、時刻情報が関連付けられており、
入力制御手段は、ユーザインタフェース手段を用いて、利用者に対して時間範囲情報を入力させ、
コンテンツ検索手段は、当該曜日情報について検索された複数のコンテンツの中で、入力された当該時間範囲情報に一致する複数のコンテンツを検索し、
コンテンツリスト生成手段は、当該時間範囲情報について検索された複数のコンテンツに基づくコンテンツリストを生成する
ことも好ましい。
【００１８】
本発明の情報表示装置における他の実施形態によれば、
キャッシュメモリ手段と、
ユーザインタフェース手段に表示されたコンテンツリストに対して、ユーザがシフト操作を実行したとしたならば表示されるであろうコンテンツリストを、キャッシュメモリ手段に予め保持するメモリ制御手段と
を更に有し、
ユーザインタフェース手段は、ユーザがシフト操作を実行した際に、キャッシュメモリ部から取得されたコンテンツリストを表示する
ことも好ましい。
【００１９】
本発明の情報表示装置における他の実施形態によれば、
情報表示装置は、携帯電話機であり、
ユーザインタフェース手段は、ディスプレイ及びテンキーからなり、各曜日が、テンキーの各キーに割り当てられている
ことも好ましい。
【００２０】
本発明によれば、日付情報が関連付けられた複数のコンテンツについて、該コンテンツを検索するためのコンテンツリストを表示するユーザインタフェース手段を有する情報表示装置に搭載されたコンピュータを機能させるプログラムにおいて、
日付情報に対応する曜日情報を関連付けて蓄積しているカレンダ情報蓄積手段と、
ユーザインタフェース手段を用いて、利用者に対して曜日情報を入力させる入力制御手段と、
カレンダ情報蓄積手段を用いて、複数のコンテンツの中で、入力された当該曜日情報に一致する複数のコンテンツを検索するコンテンツ検索手段と、
当該曜日情報について検索された複数のコンテンツに基づくコンテンツリストを生成するコンテンツリスト生成手段と、
ユーザインタフェース手段を用いて、コンテンツリストを表示させる表示制御手段と
してコンピュータを機能させることを特徴とする。
【発明の効果】
【００２１】
本発明のコンテンツリスト表示方法、情報表示装置及びプログラムによれば、曜日に基づいてコンテンツリストを絞り込むことができるので、膨大なコンテンツの中から、できる限り少ない操作回数であって、且つ、同じ操作では同じコンテンツリストを表示することができる。
【図面の簡単な説明】
【００２２】
【図１】従来技術におけるコンテンツリストが表示された情報表示装置である。
【図２】本発明における曜日情報に基づいてコンテンツリストを表示した情報表示装置である。
【図３】本発明における時間範囲情報に基づいてコンテンツリストを表示した情報表示装置である。
【図４】情報表示装置の操作に応じて予めキャッシュメモリに記憶しておくべきコンテンツを表す説明図である。
【図５】本発明における情報表示装置の機能構成図である。
【発明を実施するための形態】
【００２３】
以下、本発明の実施の形態について、図面を用いて詳細に説明する。
【００２４】
情報表示装置のユーザインタフェース部は、通常、表示部及び入力部を有する。情報表示装置が、携帯電話機のような小型端末である場合、そのユーザインタフェース部は、小型ディスプレイ及びテンキーからなる。そのディスプレイに、コンテンツリストが表示される。コンテンツリストは、利用者におけるコンテンツの検索を容易にするために、複数のコンテンツのインデックスをリスト状に並べたものである。
【００２５】
携帯電話機は、ディスプレイのサイズは小さいものの、膨大な量のコンテンツを蓄積することできる。従って、そのディスプレイの一画面で、全てのコンテンツのインデックスを表示することはできない。そのため、段階的にコンテンツリストをディスプレイに表示することによって、利用者にコンテンツを指定させる必要がある。
【００２６】
コンテンツには、少なくとも日付情報が関連付けられており、一般的には時刻情報も関連付けられている。例えば「2009/2/4;14:35」のような年月日及び時刻が、コンテンツに付加されている。利用者によって撮影された静止画像又は動画像のようなコンテンツであれば、例えばその撮影日時が付加される。また、録画された放送コンテンツであれば、その放送日時が付加される。
【００２７】
また、本発明における情報表示装置は、日付情報に対応する曜日情報を関連付けて蓄積しているカレンダ情報蓄積部を有する。携帯電話機の場合、通常、利用者に対するアプリケーションとしてスケジューラを搭載している。これにより、コンテンツの日付情報から、その曜日情報を取得することができる。
【００２８】
図２は、本発明における曜日情報に基づいてコンテンツリストを表示した情報表示装置である。
【００２９】
図２によれば、例えば以下のように、各曜日がテンキーの各キーに割り当てられており、ディスプレイにその割り当てが明示的に表されている。尚、テンキーの各キーに、曜日が表示されるものであってもよい。曜日は、７曜日（月曜〜日曜）である。そのために、全ての曜日は、テンキーの中で割り当てることができる。
テンキー：キー「１」：「日曜」
キー「２」：「月曜」
キー「３」：「火曜」
キー「４」：「水曜」
キー「５」：「木曜」
キー「６」：「金曜」
キー「７」：「土曜」
【００３０】
携帯電話機１は、ユーザインタフェース部１０を用いて、利用者に対して曜日情報を入力させる。ここで、ユーザが、キー「２」「月曜」を押下したとする。
【００３１】
このとき、携帯電話機１は、カレンダ情報を用いて、複数のコンテンツの中で、その日付が「月曜」となる複数のコンテンツを検索する。
【００３２】
次に、「月曜」の日付情報について検索された複数のコンテンツに基づくコンテンツリストを生成する。
【００３３】
そして、携帯電話機１は、そのコンテンツリストを、ユーザインタフェース部のディスプレイに表示する。
【００３４】
図３は、本発明における時間範囲情報に基づいてコンテンツリストを表示した情報表示装置である。
【００３５】
時間範囲情報が、テンキーの各キーに割り当てられており、ディスプレイにその割り当てが明示的に表されている。尚、テンキーの各キーに、時間範囲が表示されるものであってもよい。図３によれば、例えば以下のように時間範囲情報が割り当てられている。
テンキー：キー「１」：「朝」（４：００〜１０：００）
キー「２」：「昼」（１０：００〜１８：００）
キー「３」：「夜」（１８：００〜４：００）
【００３６】
携帯電話機１は、ユーザインタフェース部１０を用いて、利用者に対して時間範囲情報を入力させる。ここで、キー「３」「夜」を押下したとする。
【００３７】
次に、携帯電話機１は、当該曜日情報について検索された複数のコンテンツの中で、その時間範囲情報が「夜」となる複数のコンテンツを検索する。
【００３８】
次に、「夜」の時刻情報について検索された複数のコンテンツに基づくコンテンツリストを生成する。
【００３９】
そして、携帯電話機１は、そのコンテンツリストを、ユーザインタフェース部のディスプレイに表示する。
【００４０】
図４は、情報表示装置の操作に応じて予めキャッシュメモリに記憶しておくべきコンテンツを表す説明図である。
【００４１】
情報表示装置は、キャッシュメモリ部を更に有する。情報表示装置は、ユーザインタフェース部のディスプレイに表示されたコンテンツリストに対して、ユーザがシフト操作を実行したとしたならば表示されるであろうコンテンツリストを、キャッシュメモリ部に予め保持する。
【００４２】
図４によれば、曜日情報に基づいて検索された、コンテンツのインデックスを表しており、２次元方向に時系列に並べられている。横軸は、時間範囲の分類を表し、縦軸は、時刻順（降順）を表す。本発明によれば、現在表示中のコンテンツリストを中心に、時刻的に上下方向、及び、時間範囲的に左右方向のコンテンツリストが選択される。これらコンテンツリストは、情報表示装置のバックグラウンドで、キャッシュメモリ部に蓄積される。これにより、ユーザがシフト操作を実行した際に、キャッシュメモリ部から取得されたコンテンツリストを、ユーザインタフェース部に表示することができる。利用者の操作に対する反応速度を向上させることができる。
【００４３】
図５は、本発明における情報表示装置の機能構成図である。
【００４４】
図５によれば、情報表示装置１は、ユーザインタフェース部１０と、通信放送インタフェース部１１と、表示制御部１２と、入力制御部１３、コンテンツ蓄積部１４と、コンテンツ検索部１５と、カレンダ情報蓄積部１６と、コンテンツリスト生成部１７と、キャッシュメモリ部１８と、メモリ制御部１９とを有する。ユーザインタフェース部１０及び通信放送インタフェースを除くこれら機能構成部は、情報表示装置に搭載されたコンピュータを機能させるプログラムを実行することによって実現される。
【００４５】
ユーザインタフェース部１０は、具体的には、ディスプレイ（表示部）とテンキー（入力部）とからなる。
【００４６】
通信放送インタフェース部１１は、ネットワーク又は放送を介して受信したコンテンツを、コンテンツ蓄積部１４へ蓄積する。コンテンツには、日付及び時刻が関連付けられている。
【００４７】
表示制御部１２は、コンテンツリスト生成部１７又はキャッシュメモリ部１８から出力されたコンテンツリストを、ユーザインタフェース部１０のディスプレイに表示する。
【００４８】
入力制御部１３は、ユーザインタフェース部１０を用いて、利用者に対して「曜日情報」及び「時間範囲情報」を入力させる。入力された「曜日情報」及び「時間範囲情報」は、コンテンツ検索部１５へ出力される。同様に、入力制御部１３は、利用者に対して「シフト操作情報」を入力させ、その「シフト操作情報」をメモリ制御部１９へ出力する。
【００４９】
コンテンツ蓄積部１４は、少なくとも日付情報が関連付けられた複数のコンテンツを蓄積する。また、コンテンツには、時刻情報も関連付けられる。コンテンツは、通信放送インタフェース部１１から出力されたものであってもよいし、利用者の操作によって作成又は取得されたものであってもよい。
【００５０】
コンテンツ検索部１５は、カレンダ情報蓄積部１６を用いて、複数のコンテンツの中で、入力された当該曜日情報に一致する複数のコンテンツを検索する。また、コンテンツ検索部１５は、当該曜日情報について検索された複数のコンテンツの中で、入力された当該時間範囲情報に一致する複数のコンテンツを検索する。検索された複数のコンテンツのインデックスは、コンテンツリスト生成部１７へ出力される。
【００５１】
カレンダ情報蓄積部１６は、日付情報に対応する曜日情報を関連付けて蓄積している。
【００５２】
コンテンツリスト生成部１７は、当該曜日情報について検索された複数のコンテンツに基づくコンテンツリストを生成する。また、コンテンツリスト生成部１７は、当該時間範囲情報について検索された複数のコンテンツに基づくコンテンツリストを生成する。
【００５３】
また、コンテンツリスト生成部１７は、ユーザインタフェース部１０に表示されたコンテンツリストに対して、ユーザがシフト操作を実行したとしたならば表示されるであろうコンテンツリストを、キャッシュメモリ部１８へ出力する。
【００５４】
キャッシュメモリ部１８は、コンテンツリスト生成部１７から出力されたコンテンツリストを記憶する。そして、メモリ制御部１９からの指示に応じて、そのコンテンツリストを表示制御部１２へ出力する。キャッシュメモリ部１８は、バックグラウンドで、シフト操作後のコンテンツリストを先読みすることとなる。
【００５５】
メモリ制御部１９は、入力制御部１３から「シフト操作情報」を入力する。メモリ制御部１９は、シフト操作情報が「上」「下」「右」又は「左」かによって、キャッシュメモリ部１８が表示制御部１２へ出力すべきコンテンツリストを制御する。
【００５６】
以上、詳細に説明したように、本発明のコンテンツリスト表示方法、情報表示装置及びプログラムによれば、曜日に基づいてコンテンツリストを絞り込むことができるので、膨大なコンテンツの中から、できる限り少ない操作回数であって、且つ、同じ操作では同じコンテンツリストを表示することができる。また、曜日は、７曜日しかないために、携帯電話機のようにテンキーしか備えていない情報表示端末であっても、１回のキー操作のみで、コンテンツリストを絞り込むことができる。
【００５７】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５８】
１  情報表示装置、携帯電話機
１０  ユーザインタフェース部
１１  通信放送インタフェース部
１２  表示制御部
１３  入力制御部
１４  コンテンツ蓄積部
１５  コンテンツ検索部
１６  カレンダ情報蓄積部
１７  コンテンツリスト生成部
１８  キャッシュメモリ部
１９  メモリ制御部
【図１】
2010193022.tif 000003
【図２】
2010193022.tif 000004
【図３】
2010193022.tif 000005
【図４】
2010193022.tif 000006
【図５】
2010193022.tif 000007